【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】  溢れた液体を収集および吸収するための装置であって、
液体を吸収することができる吸収材料から形成される層と、
吸収材料から形成される層と張り合わされた成形可能材料であって、成形後成形可能材料がとる形状を保持することができる折り曲げ可能材料から形成され、さらに成形前略平面状の配置を有する成形可能材料と、を備えることを特徴とする装置。
【請求項２】  前記吸収材料が、最初略平面状の配置を有することを特徴とする請求項１記載の装置。
【請求項３】  前記吸収材料が、最初略枕状の形状を有することを特徴とする請求項１記載の装置。
【請求項４】  前記吸収材料が、超吸収ポリマー、吸収織物、吸収ガーゼ、コットン、パルプ材からなる吸収材料の群から選択されたことを特徴とする請求項１記載の装置。
【請求項５】  前記吸収材料層が、約１／８から約１／４インチの範囲の膜厚を有することを特徴とする請求項１記載の装置。
【請求項６】  前記吸収材料層が、約１から約２インチの範囲の膜厚を有することを特徴とする請求項１記載の装置。
【請求項７】  さらに前記装置上に配置された物体を高くするため、前記装置に取り付けられた支持体を備えることを特徴とする請求項１記載の装置。
【請求項８】  前記支持体が、吸収材料から形成される層上に配置されることを特徴とする請求項７記載の装置。
【請求項９】  前記支持体が、吸収材料から形成される層の下に配置されることを特徴とする請求項７記載の装置。
【請求項１０】  前記吸収材料から形成される層が、側端面および境界を画定された領域を有し、成形可能材料が境界を画定された領域を有し、さらに成形可能材料の領域が、吸収材料の領域より大きく、成形可能材料が、吸収材料から形成される層の端部を超えて広がることを特徴とする請求項１記載の装置。
【請求項１１】  前記吸収材料から形成される層が、横側面および境界により画定された領域を有し、前記成形可能材料が境界を画定された領域を有し、前記成形可能材料の領域が吸収材料の領域と略等しく、前記成形可能材料が、実質的に吸収材料から形成される層の端部と同一の広がりを持つことを特徴とする請求項１記載の装置。
【請求項１２】  前記吸収材料から形成される層が、横側面および境界により画定された領域を有し、前記成形可能材料が境界により画定された領域を有し、吸収材料の領域が、成形可能材料の領域より大きく、吸収材料から形成される層の端部が、成形可能材料を超えて広がることを特徴とする請求項１記載の装置。
【請求項１３】  前記吸収材料から形成される層が、中央部を含め、境界により画定された領域を有し、前記成形可能材料が、中央部を含め、境界により画定された領域を有し、吸収材料から形成される層の中央部が、前記成形可能材料の中央部と実質的に対応することを特徴とする請求項１記載の装置。
【請求項１４】  前記成形可能材料が、実質的に、薄いアルミニウムシート、アルミニウムホイル、金属ワイヤ、金属ロッド、および金属バンドからなる形状保持要素の群から選択されることを特徴とする請求項１記載の装置。
【請求項１５】  前記成形可能材料が、吸収材料から形成される層に取り付けられていることを特徴とする請求項１記載の装置。
【請求項１６】  前記成形可能材料が、成形可能材料と吸収材料とを機械的に取りつけるため、吸収材料から形成される層上に折り曲げられた端部を備えることを特徴とする請求項１５記載の装置。
【請求項１７】  前記成形可能材料が、しわを寄せられるように折り曲げられていることを特徴とする請求項１記載の装置。
【請求項１８】  前記成形可能材料が、装置を使用する前の所望の形状をとるように形成されることを特徴とする請求項１記載の装置。
【請求項１９】  前記成形可能材料が、予め形成されたロール状の部分を有することを特徴とする請求項１８記載の装置。
【請求項２０】  前記成形可能材料が、予め折り曲げられた部分を有することを特徴とする請求項１８記載の装置。
【請求項２１】  前記成形可能材料の一部分が、容易に装置を形成するため相互に連結されていることを特徴とする請求項２０記載の装置。
【請求項２２】  前記成形可能材料の相互接続部分が、装置のコーナー部分に位置することを特徴とする請求項２１記載の装置。
【請求項２３】  前記成形可能材料の相互接続部分が、互いに成形可能材料の異なる部分を接続するための縫い目であることを特徴とする請求項２１記載の装置。
【請求項２４】  接着剤により、成形可能材料の相互接続部分を接合することを特徴とする請求項２３記載の装置。
【請求項２５】  溶接により、成形可能材料の相互接続部分を接合することを特徴とする請求項２３記載の装置。
【請求項２６】  機械的接続により、成形可能材料の相互接続部分を接合することを特徴とする請求項２３記載の装置。
【請求項２７】  折り曲げることにより、成形可能材料の相互接合部分を接合することを特徴とする請求項２６記載の装置。
【請求項２８】  波状にしわを寄せることにより、成形可能材料の相互接続部分を接合することを特徴とする請求項２６記載の装置。
【請求項２９】  吸収材料から形成される層および成形可能材料に接続された液体防護層をさらに備えることを特徴とする請求項１記載の装置。
【請求項３０】  前記液体防護層が、実質的にビニル、ポリエチレン、ポリプロピレンからなる不透水性の材料の群から選択されたシート、フィルム、被覆材であることを特徴とする請求項２９記載の装置。
【請求項３１】  前記液体防護材料層が、液体防護材料層から形成される多層であることを特徴とする請求項２９記載の装置。
【請求項３２】  装置上に静置された物体を高くするため、吸収材料から形成される多層間に位置する支持体をさらに備えることを特徴とする請求項３１記載の装置。
【請求項３３】  吸収材料から形成される層が、前記吸収材料から形成される複数の要素を含み、前記支持体に近接するように配置されることを特徴とする請求項３２記載の装置。
【請求項３４】  前記液体防護材料層が、吸収材料から形成される層と接続されることを特徴とする請求項２９記載の装置。
【請求項３５】  前記液体防護材料層が、成形可能材料と接続されることを特徴とする請求項２９記載の装置。
【請求項３６】  前記液体防護材料層が、前記成形可能材料から形成される層の下に配列されたシートであることを特徴とする請求項２９記載の装置。
【請求項３７】  前記吸収材料から形成される層が、前記液体防護材料層を形成するシートに取りつけられてなることを特徴とする請求項３６記載の装置。
【請求項３８】  前記成形可能材料の複数層を備えることを特徴とする請求項１記載の装置。
【請求項３９】  液体防護材料層の少なくとも１層が、複数の成形可能材料層間に位置することを特徴とする請求項３８記載の装置。
【請求項４０】  前記成形可能材料が、少なくとも１層の材料により囲まれていることを特徴とする請求項１記載の装置。
【請求項４１】  前記成形可能材料を囲む少なくとも１層の材料が、液体防護材料層から形成されることを特徴とする請求項４０記載の装置。
【請求項４２】  前記成形可能材料が、少なくとも１つののこぎり状端部を画定し、複数の液体防護材料層が、のこぎり状の端部に噛み合うような継ぎ目に沿って互いに取りつけられることを特徴とする請求項４１記載の装置。
【請求項４３】  前記複数の液体防護材料層が、のこぎり状の端部に沿って、互いに熱溶接されることを特徴とする請求項４２記載の装置。
【請求項４４】  前記成形可能材料が、複数の液体防護材料層間に接着させることなく固定されたことを特徴とする請求項４２記載の装置。
【請求項４５】  前記吸収材料から形成された層が、外部層内に囲まれ、前記外部層が、制限された領域内に前記吸収材料を保持し、さらに、外部層を通って、前記吸収材料から形成される層まで液体を通過させることができることを特徴とする請求項１記載の装置。
【請求項４６】  前記吸収材料から形成される層が、外部層に接するように配置された上部面を有し、不透水性材料から形成される層が、吸収材料から形成される層の上部面に沿って、位置することを特徴とする請求項４５記載の装置。
【請求項４７】  不透水性材料から形成される層が、吸収材料から形成される層を完全に包含しないことを特徴とする請求項４６記載の装置。
【請求項４８】  不透水性材料から形成される層が、吸収材料から形成される層の上部面上にだけ与えられることを特徴とする請求項４６記載の装置。
【請求項４９】  前記外部層の少なくとも一部がメッシュのような材料からなることを特徴とする請求項４５記載の装置。
【請求項５０】  前記外部層の上面部分が、不透水性材料から形成され、前記外部層の側面が、メッシュのような材料から形成されることを特徴とする請求項４９記載の装置。
【請求項５１】  前記外部層が、吸収材料から形成された層を完全に包囲することを特徴とする請求項４５記載の装置。
【請求項５２】  前記外部層が、成形可能材料に取りつけられてなることを特徴とする請求項４５記載の装置。
【請求項５３】  前記外部層が、前記成形可能材料と結合された液体防護材料層に取りつけられてなることを特徴とする請求項４５記載の装置。
【請求項５４】  さらに、噴霧防護層の領域を画定するため、吸収材料から形成される層上に折り曲げられた不透水性材料から形成されるシートを備えることを特徴とする請求項１記載の装置。
【請求項５５】  前記不透水性材料から形成されるシートが、成形可能材料から広がっていることを特徴とする請求項５４記載の装置。
【請求項５６】  不透水性材料から形成されるシートが、液体防護材料層から形成される層に積層されてなり、前記液体防護材料層が、吸収性材料から形成される層および成形可能材料に結合されていることを特徴とする請求項５４記載の装置。
【請求項５７】  さらに、物体の周りに装置を固定するためのタブを少なくとも一つ備える請求項１記載の装置。
【請求項５８】  少なくとも２つのタブと、物体を装置に固定するために互いのタブを接続するための手段であって、前記タブの少なくとも一つに接続された手段とを有する請求項５７記載の装置。
【請求項５９】  前記成形可能材料が、切り抜き部分を備えることを特徴とする請求項１記載の装置。
【請求項６０】  前記切り抜き部分が装置の中央部分に沿って位置することを特徴とする請求項５９記載の装置。
【請求項６１】  前記成形可能材料が、複数の切り抜き部分を備えることを特徴とする請求項５９記載の装置。
【請求項６２】  さらに、装置の一部に形成された排水管を備えることを特徴とする請求項１記載の装置。
【請求項６３】  前記排水管が、液体を前記装置とともに形成された容器から導くための外部ホースと接続されたことを特徴とする請求項６２記載の装置。
【請求項６４】  成形可能材料の一部分が排水管を形成するように成形されたことを特徴とする請求項１記載の装置。
【請求項６５】  前記成形可能材料の一部分が固定され、前記固定された部分が、成形可能材料を用いて形成された折り曲げられた側壁のコーナー部分を画定することを特徴とする請求項１記載の装置。
【請求項６６】  前記成形可能材料が、折り曲げ可能な細長い要素であり、前記要素が、折り曲げ後、とられる形状を保持することを特徴とする請求項１記載の装置。
【請求項６７】  前記細長い要素が、装置の中央部分に渡って広がる曲がりくねった配置を有することを特徴とする請求項６６記載の装置。
【請求項６８】  前記細長い要素が、装置の周辺部分に渡って波状の配置を有することを特徴とする請求項６６記載の装置。
【請求項６９】  前記細長い要素が、固体のロッドであることを特徴とする請求項６６記載の装置。
【請求項７０】  前記細長い要素が、空洞のチューブであることを特徴とする請求項６６記載の装置。
【請求項７１】  容易に開くことができ、容易に使用の準備ができるような略平面状の配置を取るように、予め折り曲げられてなることを特徴とする請求項１記載の装置。
【請求項７２】  容易に開くことができ、容易に使用の準備ができるような略枕状の配置を取るように、予め折り曲げられなることを特徴とする請求項１記載の装置。
【請求項７３】  物体に関係する工程の間に液体を包含するための方法であって、
吸収材料から形成される層と前記吸収材料から形成される層に結合された成形可能材料とを備え、前記成形可能材料が折り曲げ可能であり、成形後前記成形可能材料により取られる形状を保持することができる装置であって、液体を収集および吸収するための装置を物体の下に配置する工程と、
装置と、工程の間液体を受け取るように成形された容器との領域を画定するように、成形可能材料を成形する工程とを備えることを特徴とする方法。
【請求項７４】  使用前に、前記装置を所望の配置に形成する工程をさらに備えることを特徴とする請求項７３記載の方法。
【請求項７５】  前記形成の工程が、互いに、成形可能材料の一部分をロールさせる工程をさらに含むことを特徴とする請求項７４記載の方法。
【請求項７６】  前記形成する工程が、互いに折り曲げられた成形可能材料の一部分を相互接続する工程を備えることを特徴とする請求項７４記載の方法。
【請求項７７】  さらに、前記装置を容易に作製できるように、成形可能材料の折り曲げられた部分を相互接続する工程を備えることを特徴とする請求項７６記載の方法。
【請求項７８】  前記成形の工程が、成形可能材料の少なくとも一部分を壁状に成形する工程を含むことを特徴とする請求項７３記載の方法。
【請求項７９】  壁の強度を増すため、前記成形の工程が、成形可能材料にしわを寄せる工程をさらに含むことを特徴とする請求項７８記載の方法。
【請求項８０】  前記成形の工程が、排水管の領域を画定するため、成形可能材料の一部分を成形する工程を備えることを特徴とする請求項７３記載の方法。
【請求項８１】  排水を容器から導く工程をさらに備えることを特徴とする請求項７３記載の方法。
【請求項８２】  前記装置が、噴霧防護層の領域を画定するように、吸収材料から形成される層が結合された不透水性材料を備え、前記方法が、飛散物として液体が放出されることを防止するため、吸収材料から形成される層上に不透水性材料を折り曲げる工程をさらに含むことを特徴とする請求項７３記載の方法。
【請求項８３】  前記装置が、装置の一部分から延びる少なくとも一つのタブを備え、前記方法が、工程の間装置に対して物体を固定するため、物体の周りにタブを添える工程をさらに含むことを特徴とする請求項７３記載の方法。
【請求項８４】  前記装置が、設置する工程の間、略平面状の配置を取り、かつ、前記方法が、さらに略平面状の装置を容器状に成形する工程を含むことを特徴とする請求項７３記載の方法。
【請求項８５】  前記装置が、設置する工程の前に、略枕状の配置を取り、かつ前記方法が、略枕形状の装置を略平面状の配置に開く工程を含むことを特徴とする請求項８４記載の方法。
【請求項８６】  前記装置が、設置する工程の間に略平面状の配置を取り、かつ前記方法が、物体の周りに略平面状の装置を成形する工程を含むことを特徴とする請求項７３記載の方法。
【請求項８７】  供給源から漏れる液体を収集するための方法であって、
吸収材料から形成される層及び前記吸収材料から形成される層に結合された成形可能材料を備え、前記成形可能材料が折り曲げ可能であり、成形後に前記成形可能材料により取られる形態を保持することが可能である装置であって、漏れている液体を収集するための装置を供給源の下に配置する工程と、
前記装置と、成形された容器との領域を画定するため、成形可能材料を成形する工程であって、前記容器が供給源の下に配置され、液体を受け取り収集するように成形される工程と、を備えることを特徴とする方法。
【請求項８８】  前記装置を使用前に所望の配置に形成する工程をさらに備えることを特徴とする請求項８７記載の方法。
【請求項８９】  前記形成の工程が、互いに成形可能材料の一部分をロールさせる工程を備えることを特徴とする請求項８８記載の方法。
【請求項９０】  前記形成の工程が、互いに成形可能材料の一部分を折り曲げる工程を備えることを特徴とする請求項８８記載の方法。
【請求項９１】  前記装置を容易に形成するために、成形可能材料の折り曲げられた一部分を相互接続する工程をさらに備えることを特徴とする請求項９０記載の方法。
【請求項９２】  前記成形の工程が、成形可能材料の少なくとも一部分を壁状に成形する工程を備えることを特徴とする請求項８７記載の方法。
【請求項９３】  成形の工程が、壁の強度を増加させるために成形可能材料にしわを寄せる工程をさらに備えることを特徴とする請求項９２記載の方法。
【請求項９４】  前記成形の工程が、排水管の領域を画定するために、成形可能材料の一部分を成形する工程を備えることを特徴とする請求項８７記載の方法。
【請求項９５】  さらに、容器から排水を導く工程を備えることを特徴とする請求項８７記載の方法。
【請求項９６】  前記装置が、配置工程の間、略平面状の配置を取り、かつ前記方法が、略平面状の装置を容器状に成形する工程を備えることを特徴とする請求項８７記載の方法。
【請求項９７】  前記装置が、配置工程の前に、略枕形状の配置を取り、かつ前記方法が略枕形状の装置を略平面状の配置に開く工程をさらに備えることを特徴とする請求項９６記載の方法。
【請求項９８】  前記装置が、配置工程の間、略平面状の配置を取り、かつ前記方法が、物体の周りに略平面状の装置を成形する工程をさらに備えることを特徴とする請求項８７記載の方法。
【請求項９９】  溢れた液体を収集し吸収するための装置であって、吸収材料から形成される層と、折り曲げ後成形可能材料によって取られる形状を保持することができる形状可能材料であって、前記吸収材料から形成される層に結合された成形可能材料とを含む装置の製造方法において、
吸収材料から形成される層上に成形可能材料の端部を折り曲げ、吸収材料から成形される層と成形可能材料とを重ね合わせる工程を備えることを特徴とする方法。
【請求項１００】  吸収材料から形成される層上に成形可能材料の端部を折り曲げる工程と、吸収材料から形成される層と成形可能材料とを側面に沿って噛み合わせる工程と、吸収材料から形成される層上に成形可能材料の端部を折り曲げる工程と、吸収材料から形成される層と成形可能材料とを端部に沿って噛み合わせる工程とをさらに備える請求項９９記載の方法。
【請求項１０１】  前記装置を使用前に所望の形状に形成する工程をさらに備えることを特徴とする請求項９９記載の方法。
【請求項１０２】  形成の工程が、互いに成形可能材料の一部分をロールさせる工程を備えることを特徴とする請求項１０１記載の方法。
【請求項１０３】  形成の工程が、互いに成形可能材料の一部分を折り曲げる工程を備えることを特徴とする請求項１０１記載の方法。
【請求項１０４】  容易に装置を作製するために、成形可能材料の折り曲げられた一部分を相互接続する工程をさらに備えることを特徴とする請求項１０３記載の方法。
【請求項１０５】  装置を略枕形状の配置に形成する工程をさらに備えることを特徴とする請求項１０３記載の方法。